(57)【要約】【課題】  新たに動画情報を掲載し、又、動画情報を変更する場合にも、ウェブページの構成を大幅に変更する必要はなく、専門的知識を有していないウェブページ管理者であっても、動画情報の内容を簡易かつ迅速に変更できる動画情報配信システムを提供する。【解決手段】  ウェブページ閲覧者が使用する情報受信端末装置３と、ウェブページ管理者が開設しているウェブページ６を格納する情報発信管理装置４と、映像情報配信サーバ５２及び映像情報格納サーバ５３を有する動画情報配信管理装置５と、から動画配信システム１を構成する。ウェブページ６に配置した動画情報配信機能ボタン６１によって動画情報配信管理装置５は起動し、ウェブページ閲覧者に動画情報を配信する。情報発信管理装置４から動画情報配信管理装置５にアクセスすれば、映像情報を追加、編集することができる。【選択図】  図１
2007323370.tif 000002
【特許請求の範囲】
【請求項１】
ウェブページ閲覧者が使用する情報受信端末装置と、ウェブページ管理者が開設しているウェブページを格納する情報発信管理装置と、映像情報配信サーバ及び映像情報格納サーバを有する動画情報配信管理装置とから構成され、
前記ウェブページに前記動画情報配信管理装置を起動させる動画情報配信機能ボタンを配置し、この動画情報配信機能ボタンによって前記ウェブページと前記動画情報配信管理装置とをリンクさせたことを特徴とする動画情報配信システム。
【請求項２】
前記動画情報配信管理装置は、認証サーバを有することを特徴とする請求項１に記載の動画情報配信システム。
【請求項３】
前記認証サーバには、契約データベースが接続されていることを特徴とする請求項２に記載の動画情報配信システム。
【請求項４】
前記認証サーバには、さらに、映像管理情報ファイルが接続されていることを特徴とする請求項３に記載の動画情報配信システム。
【請求項５】
前記動画情報配信機能ボタンをクリックすることによって、前記動画情報配信管理装置が起動して、閲覧用プログラムが自動的にダウンロードされ、前記情報受信端末装置に前記閲覧用プログラムが格納されることを特徴とする請求項１乃至４の何れかに記載の動画情報配信システム。
【請求項６】
前記閲覧用プログラムが起動することによって、映像情報配信サーバ及び映像情報格納サーバが起動して、この映像情報格納サーバに格納された映像情報ファイルからサムネイル画像がダウンロードされて、前記情報受信端末装置にサムネイル画像が一覧表示されることを特徴とする請求項５に記載の動画情報配信システム。
【請求項７】
前記サムネイル画像から適宜サムネイル画像を選択してクリックすることによって、前記映像情報ファイルから映像情報がダウンロードされ、動画が再生されることを特徴とする請求項６に記載の動画情報配信システム。
【請求項８】
前記映像情報と共に映像管理情報がダウンロードされ、映像と共にデータ及びコメントも表示されることを特徴とする請求項６又は７に記載の動画情報配信システム。
【請求項９】
前記情報発信管理装置には、前記動画情報配信管理装置にアクセスできるアクセスプログラムを格納してあることを特徴とする請求項１乃至８の何れかに記載の動画情報配信システム。
【請求項１０】
前記アクセスプログラムによって前記動画情報配信管理装置が起動して、編集用プログラムが自動的にダウンロードされ、前記情報発信管理装置に前記編集用プログラムが格納されることを特徴とする請求項９に記載の動画情報配信システム。
【請求項１１】
前記編集用プログラムが起動することによって、映像情報編集画面が表示されることを特徴とする請求項１０に記載の動画情報配信システム。
【請求項１２】
前記映像情報編集画面において、映像情報アップロードボタンをクリックすることによって、前記映像情報格納サーバから映像情報ファイルがアップロードされ、映像情報が取り込まれて、前記映像情報編集画面に配置されたパレットに映像情報が追加されることを特徴とする請求項１１に記載の動画情報配信システム。
【請求項１３】
前記映像情報編集画面において、前記パレットに追加された適宜映像情報をドラッグし、前記映像情報編集画面に配置されたボックスにドロップすることによって、前記映像情報は適宜ボックスに格納されることを特徴とする請求項１２に記載の動画情報配信システム。
【請求項１４】
前記ボックスに格納された映像情報は、前記ウェブページにおいては、前記ボックス番号に対応したサムネイル画像として表示されることを特徴とする請求項１３に記載の動画情報配信システム。
【請求項１５】
前記パレットと前記ボックスとの間で前記映像情報をドラッグ・ドロップすることによって、映像情報を並び替えることができ、前記ウェブページにおいて表示されるサムネイル画像を並び替えることができることを特徴とする請求項１３又は１４に記載の動画情報配信システム。
【請求項１６】
前記映像情報編集画面において、編集内容保存ボタンをクリックすることによって、前記ボックスに格納された映像情報は、映像管理情報ファイル及び映像情報ファイルに格納されることを特徴とする請求項１２乃至１５の何れかに記載の動画情報配信システム。
【発明の詳細な説明】
【技術分野】
【０００１】
本発明は、現在開設しているウェブページの構成を大幅に変更することなく、簡易に動画情報配信機能を追加できると共に、配信する動画情報の内容を簡易かつ迅速に変更できるようにした動画情報配信システムに関する。
【背景技術】
【０００２】
近年、企業、団体又は個人にあっては、積極的にウェブページを作成して情報発信者となり、インターネット上で自己、商品又はサービス等に関する種々情報を発信、公開することによって、自己のイメージの向上、又、商品の販売、サービスの提供等の促進を図っている。
【０００３】
ウェブページには、文字情報を掲載するのみならず、より注目度を高めるために、画像情報、特に動画情報（映像情報を含む）を掲載することが多くなってきた。このような場合、ウェブページに掲載された文字情報を格納するウェブサーバに、動画情報をも格納するようにしている（例えば、特許文献１参照）。
【０００４】
【特許文献１】特開２００６−７４５１１号公報
【発明の開示】
【発明が解決しようとする課題】
【０００５】
従来にあっては、ウェブページに新たに動画情報を掲載する場合には、動画情報を掲載するページを新たに作成すると共に、ウェブページを格納しているウェブサーバに新たに動画情報を格納しなければならず、ウェブページの内容を大幅に変更する必要があり、ウェブページを改変するのには多大な労力及び費用を必要とした。
【０００６】
又、現在掲載している動画情報を変更する場合には、該当ページの掲載内容を変更する必要があると共に、ウェブサーバに既に格納されている動画情報を削除した上で、新たな動画情報を格納する必要があり、やはり、ウェブページを改変するのには多大な労力及び費用を必要とした。
【０００７】
さらに、新たに動画情報を掲載する場合にも、現在掲載している動画情報を変更する場合にも、ウェブページを改変するには相応の専門的知識が必要であり、通常は、ウェブページ管理者自身が、配信する動画情報の内容を簡易かつ迅速に変更することはできなかった。
【０００８】
本発明は、かかる従来の問題点に鑑みて為されたものであって、その目的とするところは、ウェブページに新たに動画情報を掲載する場合にも、現在掲載している動画情報を変更する場合にも、ウェブページの構成を大幅に変更する必要はなく、ウェブページを改変するのに多大な労力及び費用をも必要とせず、しかも、相応の専門的知識を有していないウェブページ管理者であっても、配信する動画情報の内容を簡易かつ迅速に変更できるようにした動画情報配信システムを提供することにある。
【課題を解決するための手段】
【０００９】
上記目的を達成するために、本発明の動画情報配信システムは、ウェブページ閲覧者が使用する情報受信端末装置と、ウェブページ管理者が開設しているウェブページを格納する情報発信管理装置と、映像情報配信サーバ及び映像情報格納サーバを有する動画情報配信管理装置とから構成され、前記ウェブページに前記動画情報配信管理装置を起動させる動画情報配信機能ボタンを配置し、この動画情報配信機能ボタンによって前記ウェブページと前記動画情報配信管理装置とをリンクさせたことを特徴とする。
【００１０】
前記動画情報配信管理装置は、認証サーバを有し、前記認証サーバには契約データベースが接続されているのを特徴とする。さらに、映像管理情報ファイルが接続されているのを特徴とする。
【００１１】
前記動画情報配信機能ボタンをクリックすることによって、前記動画情報配信管理装置が起動して、閲覧用プログラムが自動的にダウンロードされ、前記情報受信端末装置に前記閲覧用プログラムが格納されるのを特徴とする。
【００１２】
又、前記閲覧用プログラムが起動することによって、映像情報配信サーバ及び映像情報格納サーバが起動して、この映像情報格納サーバに格納された映像情報ファイルからサムネイル画像がダウンロードされて、前記情報受信端末装置にサムネイル画像が一覧表示されるのを特徴とする。
【００１３】
又、前記サムネイル画像から適宜サムネイル画像を選択してクリックすることによって、前記映像情報ファイルから映像情報がダウンロードされ、動画が再生されるのを特徴とする。
【００１４】
さらに、前記映像情報と共に映像管理情報がダウンロードされ、映像と共にデータ及びコメントも表示されるのを特徴とする。
【００１５】
さらに、前記情報発信管理装置には、前記動画情報配信管理装置にアクセスできるアクセスプログラムを格納してあるのを特徴とする。
【００１６】
そして、前記アクセスプログラムによって前記動画情報配信管理装置が起動して、編集用プログラムが自動的にダウンロードされ、前記情報発信管理装置に前記編集用プログラムが格納されるのを特徴とする。
【００１７】
又、前記編集用プログラムが起動することによって、映像情報編集画面が表示されるのを特徴とする。
【００１８】
又、前記映像情報編集画面において、映像情報アップロードボタンをクリックすることによって、前記映像情報格納サーバから映像情報ファイルがアップロードされ、映像情報が取り込まれて、前記映像情報編集画面に配置されたパレットに映像情報が追加されるのを特徴とする。
【００１９】
前記映像情報編集画面において、前記パレットに追加された適宜映像情報をドラッグし、前記映像情報編集画面に配置されたボックスにドロップすることによって、前記映像情報は適宜ボックスに格納されるのを特徴とする。
【００２０】
前記ボックスに格納された映像情報は、前記ウェブページにおいては、前記ボックス番号に対応したサムネイル画像として表示されるのを特徴とする。
【００２１】
又、前記パレットと前記ボックスとの間で前記映像情報をドラッグ・ドロップすることによって、映像情報を並び替えることができ、前記ウェブページにおいて表示されるサムネイル画像を並び替えることができるのを特徴とする。
【００２２】
さらに、前記映像情報編集画面において、編集内容保存ボタンをクリックすることによって、前記ボックスに格納された映像情報は、映像管理情報ファイル及び映像情報ファイルに格納されるのを特徴とする。
【発明を実施するための最良の形態】
【００２３】
以下、本発明の動画情報配信システムの好適な実施形態について、図面を参照して詳細に説明する。
図１は、本発明の動画情報配信システムの概略構成図、図２は、本発明の動画情報配信システムの機能説明図、図３は、動画情報配信の処理手順を示す説明図、図３は、動画情報転送の処理手順を示す説明図である。
【００２４】
本発明の動画情報配信システム１は、図１及び図２に示すように、インターネット２に接続された情報受信端末装置３、情報発信管理装置４及び動画情報配信管理装置５とから構成される。
【００２５】
情報受信端末装置３は、ウェブページ閲覧者が使用する端末装置であり、ウェブブラウザを予め格納してある。
【００２６】
情報発信管理装置４は、ウェブページ管理者が使用する装置であって、通常、ウェブページ管理者が開設しているウェブページを格納してあるウェブサーバ４１である。
情報発信管理装置４は、又、動画情報配信管理装置５にアクセスできるアクセスプログラムを予め格納してある。
【００２７】
ウェブページ管理者が開設しているウェブページ６には、動画情報配信管理装置５を起動させる動画情報配信機能ボタン６１を配置してあり、この動画情報配信機能ボタン６１によってウェブページ６と動画情報配信管理装置５とをリンクさせてある。
【００２８】
動画情報配信管理装置５は、動画情報配信サービス事業者が管理する装置であって、図１及び図２に示すように、認証サーバ５１、映像情報配信サーバ５２及び映像情報格納サーバ５３とから構成されている。
【００２９】
認証サーバ５１には、契約データベース５４及び映像管理情報ファイル５５が接続されている。
映像情報配信サーバ５２は、映像情報格納サーバ５３と接続され、映像情報格納サーバ５３には映像情報ファイル５６が接続されている。
【００３０】
次に、本発明の動画情報配信システム１によって、ウェブページ閲覧者がウェブページに掲載された動画情報を閲覧する処理手順について説明する。
ここでは、ウェブページ管理者はペットショップであって、ウェブページに犬、猫等のペットを商品として掲載する場合について説明する。
【００３１】
先ず、ウェブページ閲覧者は、情報受信端末装置３を起動させ、インターネット２に接続させ、図５に示すように、ウェブブラウザによってウェブページ管理者のウェブページ６を表示させる。
【００３２】
次に、ウェブページ６に配置した動画情報配信機能ボタン６１をクリックすれば、動画情報配信管理装置５が起動し、閲覧用プログラムＶが自動的にダウンロードされ、情報受信端末装置３に閲覧用プログラムＶが格納される。
【００３３】
その後、ログインと同時に自動認証が実行され、契約ＩＤに合致することが確認されると、映像情報ファイル５６からサムネイル画像がダウンロードされて、図５に示すように、サムネイル画像一覧画面７が表示される。
【００３４】
サムネイル画像一覧画面７に表示された各種の犬のサムネイル画像から適宜サムネイル画像を選択してクリックすれば、映像情報ファイル５６から映像情報がダウンロードされ、図６に示すように、動画再生画面８が表示されて、犬が動く映像と共にデータ及びコメントも表示される。
【００３５】
尚、サムネイル画像一覧画面７において、タブ７１をクリックすれば、図７に示すように、犬のサムネイル画像一覧画面から猫のサムネイル画像一覧画面に切り替えることができる。
又、左右移動ボタン７２をクリックすれば、図８に示すように、サムネイル画像を左右に移動させることができる。
さらに、動画再生画面８において、図９に示すように、映像表示枠部８１の右上隅部をクリックすれば、映像を拡大表示することもできる。
【００３６】
次に、本発明の動画情報配信システム１によって、ウェブページ管理者がウェブページに新たに映像情報を掲載し、又は、既に掲載されている映像情報を別のものに変更する処理手順について説明する。
上記と同様、ウェブページ管理者はペットショップであって、ウェブページに犬、猫等のペットを商品として掲載する場合について説明する。
【００３７】
先ず、ウェブページ管理者は、情報発信管理装置２を起動させ、インターネット２に接続させ、予め格納してあるアクセスプログラムＡを起動させ、図１０に示すように、初期画面９を表示させる。
【００３８】
次に、初期画面９に配置した動画情報編集機能ボタン９１をクリックすれば、動画情報配信管理装置５が起動し、編集用プログラムＥが自動的にダウンロードされ、情報発信管理装置３に編集用プログラムＥが格納される。
その後、図１１に示すように、ログイン画面１０が表示される。
【００３９】
ログイン画面１０において、ログインＩＤ及びパスワードを入力し、ログインボタン１０１をクリックすれば、認証が実行され、契約ＩＤに合致することが確認されると、図１２に示すように、映像カテゴリ編集画面１１が表示される。
【００４０】
映像カテゴリ編集画面１１において、カテゴリ追加ボタン１１１をクリックすれば、カテゴリ情報を新たに追加でき、カテゴリ編集ボタン１１２をクリックすれば、カテゴリ情報を変更でき、カテゴリ削除ボタン１１３をクリックすれば、カテゴリ情報を削除することができる。
【００４１】
次いで、映像情報編集ボタン１１４をクリックすれば、図１３に示すように、映像情報編集画面１２が表示される。
映像情報編集画面１２において、映像情報アップロードボタン１２１をクリックすれば、映像情報格納サーバ５３から映像情報ファイル５６がアップロードされ、映像情報が取り込まれて、映像情報編集画面１２の下側に配置されたパレット１２２に映像情報が追加される。
【００４２】
映像情報編集画面１２において、パレット１２２に追加された適宜映像情報をドラッグし、映像情報編集画面１２の上側に配置された適宜ボックス１２３にドロップすれば、映像情報は適宜ボックス１２３に格納される。
ここで、ボックス１２３に格納された映像情報は、ウェブページ６においては、ボックス番号に対応したサムネイル画像として表示される。
【００４３】
パレット１２２又はボックス１２３に格納されたサムネイル画像をクリックすれば、図１４に示すように、映像属性編集画面１３が表示され、文字情報からなる映像属性情報を追加、変更、削除等することができる。
【００４４】
パレッ１２２とボックス１２３との間で映像情報をドラッグ・ドロップすれば、図１５に示すように、映像情報を並び替えることができ、ウェブページ６において表示されるサムネイル画像を簡単に並び替えることができる。
【００４５】
最後に、映像情報編集画面１２において、編集内容保存ボタン１２４をクリックすれば、ボックス１２３に格納された映像情報は、映像管理情報ファイル５５及び映像情報ファイル５６に格納される。
そして、ウェブページ６においては、ボックス番号に対応したサムネイル画像として表示される。
【００４６】
以上の如く、本発明の動画情報配信システムは、ウェブページ管理者のウェブページに動画情報配信管理装置を起動させる動画情報配信機能ボタンを配置し、映像情報を動画情報配信管理装置の映像情報ファイルに格納できるようにしたから、ウェブページ管理者のウェブサーバに格納しておく必要はなく、ウェブページの内容を大幅に変更する必要もないと共に、ウェブページを改変する多大な労力及び費用も必要としない。
【００４７】
又、本発明の動画情報配信システムは、情報発信管理装置から動画情報配信管理装置にアクセスし、映像情報編集画面において映像情報を追加することができ、追加された映像情報をドラッグ・ドロップすることによって並び替えることができるから、専門的知識を有していないウェブページ管理者であっても、配信する動画情報の内容を簡易かつ迅速に変更できる。
【００４８】
さらに、本発明の動画情報配信システムは、動画情報配信機能ボタンをクリックすることによって情報受信端末装置にサムネイル画像が一覧表示され、サムネイル画像をクリックすることによって動画が再生されるから、ウェブページ閲覧者にとっても、簡易な操作で、効果的に情報を取得することができる。
【図面の簡単な説明】
【００４９】
【図１】本発明の動画情報配信システムの概略構成図である。
【図２】本発明の動画情報配信システムの機能説明図である。
【図３】動画情報配信の実行手順を示す説明図である。
【図４】動画情報転送の実行手順を示す説明図である。
【図５】ウェブページ及びサムネイル画像一覧画面を示す説明図である。
【図６】動画再生画面を示す説明図である。
【図７】サムネイル画像一覧画面の切替表示方法を示す説明図である。
【図８】サムネイル画像の移動表示方法を示す説明図である。
【図９】動画の拡大表示方法を示す説明図である。
【図１０】初期画面を示す説明図である。
【図１１】ログイン画面を示す説明図である。
【図１２】映像カテゴリ編集画面を示す説明図である。
【図１３】映像情報編集画面を示す説明図である。
【図１４】映像属性編集画面を示す説明図である。
【図１５】サムネイル画像の並替方法を示す説明図である。
【図１６】映像情報の格納方法を示す説明図である。
【符号の説明】
【００５０】
１  動画情報配信システム
２  インターネット
３  情報受信端末装置
４  情報発信管理装置
４１  ウェブサーバ
５  動画情報配信管理装置
５１  認証サーバ
５２  映像情報配信サーバ
５３  映像情報格納サーバ
５４  契約データベース
５５  映像管理情報ファイル
５６  映像情報ファイル
６  ウェブページ
６１  動画情報配信機能ボタン
１２  映像情報編集画面
１２１  映像情報アップロードボタン
１２２  パレット
１２３  ボックス
１２４  編集内容保存ボタン
【図１】
2007323370.tif 000003
【図２】
2007323370.tif 000004
【図３】
2007323370.tif 000005
【図４】
2007323370.tif 000006
【図５】
2007323370.tif 000007
【図６】
2007323370.tif 000008
【図７】
2007323370.tif 000009
【図８】
2007323370.tif 000010
【図９】
2007323370.tif 000011
【図１０】
2007323370.tif 000012
【図１１】
2007323370.tif 000013
【図１２】
2007323370.tif 000014
【図１３】
2007323370.tif 000015
【図１４】
2007323370.tif 000016
【図１５】
2007323370.tif 000017
【図１６】
2007323370.tif 000018